(57)【要約】【課題】    乗り物の種類にかかわらず容易に使用することができ、かつ酔い止めの効果が高く、しかも汎用性に優れた乗り物の酔い止め遊具を提供すること。【解決手段】  画像を表示するモニターと、モニターに表示する画像データを記憶したメモリと、加速度を検出するジャイロと、回動可能なハンドルとを具備し、ジャイロの検出信号及びハンドルの操作角度に応じて画像を変調することを特徴とする乗り物の酔い止め遊具である。【選択図】図１
2006130944.tif 000002
【特許請求の範囲】
【請求項１】
画像を表示するモニターと、モニターに表示する画像データを記憶したメモリと、加速度を検出するジャイロと、回動可能なハンドルとを具備し、ジャイロの検出信号及びハンドルの操作角度に応じて画像を変調することを特徴とする乗り物の酔い止め遊具。
【請求項２】
請求項１において、モニタに遠近法でルートの画像を表示し、ジャイロの加速度及びハンドルの操作角度に応じてルートの先端部分を湾曲させることを特徴とする乗り物の酔い止め遊具。
【請求項３】
請求項１において、モニターはビデオ信号を表示することを特徴とする乗り物の酔い止め遊具。
【請求項４】
請求項１において、ハンドルは操作時に引き出し可能に設けたことを特徴とする乗り物の酔い止め遊具。
【請求項５】
請求項１において、ルートは一定の距離毎にマーカーを表示することを特徴とする乗り物の酔い止め遊具。
【発明の詳細な説明】
【技術分野】
【０００１】
本発明は乗り物酔いを防止し、かつ移動時間を快適に過ごすことのできる乗り物の酔い止め遊具に関する。
【背景技術】
【０００２】
乗り物に乗車中に、揺れ、加速度等によって不快感を感じ、極端な場合はおう吐等に至る乗り物酔いの現象が知られている。
このような乗り物酔いになると本人の苦痛もさることながら、同乗者にも不快な影響を与えることになり、快適さが著しく削がれることになる。
【０００３】
従来、酔い止め用の薬物を用いてそれなりの効果を奏することが知られているが、人体への作用に懸念がある。
【０００４】
このため画像表示装置に乗り物の操作信号に応じた画像を表示することにより乗り物酔いを防止するものが考えられている。
【特許文献１】特開２００２−２８７７２２号公報
【特許文献２】特開２００３−０１５６７６号公報
【特許文献３】特開２００３−１８９２１９号公報
【特許文献４】特開２００２−１５４３５０号公報
【特許文献５】特開平０８−２２０４７０号公報
【０００５】
しかしながら乗り物から操作信号を取り出すことは構造が大がかりになり、公共交通機関等で使用することは不可能であり、実用性及び汎用性に欠ける問題があった。
【発明の開示】
【発明が解決しようとする課題】
【０００６】
解決しようとする課題は、乗り物の種類にかかわらず容易に使用することができ、かつ酔い止めの効果が高く、しかも汎用性に優れた乗り物の酔い止め遊具を提供することにある。
【課題を解決するための手段】
【０００７】
本発明の請求項１は画像を表示するモニターと、モニターに表示する画像データを記憶したメモリと、加速度を検出するジャイロと、回動可能なハンドルとを具備し、ジャイロの検出信号及びハンドルの操作角度に応じて画像を変調することを特徴とする乗り物の酔い止め遊具であり、請求項２は請求項１において、モニタに遠近法でルートの画像を表示し、ジャイロの加速度及びハンドルの操作角度に応じてルートの先端部分を湾曲して表示することを特徴とする乗り物の酔い止め遊具である。
【０００８】
さらに本発明の請求項３は請求項１において、モニターはビデオ信号を表示することを特徴とする乗り物の酔い止め遊具であり、請求項４は請求項１において、ハンドルは操作時に引き出し可能に設けたことを特徴とする乗り物の酔い止め遊具であり、請求項５は請求項１において、ルートは一定の距離毎にマーカーを表示することを特徴とする乗り物の酔い止め遊具である。
【発明の効果】
【０００９】
本発明の乗り物の酔い止め遊具は、いわゆるスタンド・アローンで独立して動作できるので公共交通機関や航空機にも持ち込んで使用でき、しかも興味深い画像を表示して酔い止め効果も高く、実用性、汎用性が高い。
またモニターはＤＶＤ、テレビゲーム等の表示装置としても用いることができ利便性が高い。
【実施例１】
【００１０】
以下本発明の実施例１を図面を参照して説明する。
図において１はモニターである。このモニター１は、たとえばＮＴＳＣ、ＰＡＬ等のビデオ信号を表示する液晶モニターである。そしてモニター１に、マイクロプロセッサー（図示せず）によりメモリに格納したプログラムにしたがい、メモリーに格納した画像データを画像信号として表示するようにしている。
またモニター１にはハンドル２の回動角に応じた信号、及びジャイロ３の検出信号が入力される。
このハンドル２は、本発明の遊具を、たとえば公共交通機関に持ち込んだり、日常の保管時の利便性を考慮した場合、操作時に引き出し可能に設けておくことが好都合である。
【００１１】
上記モニター１の画面中央部には、ルート４が遠近法によって表示される。すなわちルートは一番手前の下端部分が最も幅広であり、画面中央上に行くにしたがって幅狭に表示される。またルート４には一定距離毎に図示鎖線で示すマーカーが表示される。
【００１２】
そしてモニター１に表示される画像をジャイロ３の検出信号で変調するようにしている。すなわちジャイロ３が外部からの加速度を検出するとモニター１に表示された画像が変化する。
したがって乗り物の搭乗者は外部から加速度を感じると、時を同じくしてモニター１の画像が変化するため、それに気を取られて乗り物酔いを発生しにくくなり、あるいは乗り物酔いを防止することができる。
【００１３】
モニター１の画像の変調は、たとえば右（左）方向の加速度に応じて画面のルート４の先端部分が図示鎖線で示すように右（左）方向へ湾曲して表示する。
さらにハンドル２の回動角度も上記ルート４の先端部分の湾曲の度合いに重畳するようにしている。
すなわちハンドル２を右に回動すると、ルート４の先端部分は右に湾曲しジャイロ３の検出信号による湾曲に重畳して表示する。
【００１４】
そしてジャイロ３で検出した前後方向の加速度を積分してマイクロプロセッサーで演算することにより前後方向の速度を得ることができる。
従来、高精度のジャイロは大型、高価で取り扱いも面倒であったが、最近デジタルカメラの手ぶれ補正が行えるような高精度のジャイロが開発され、このような小型で高精度なジャイロを用いることが望ましい。
【００１５】
しかしてジャイロ３から得た速度情報に応じて、ルート４のマーカーを移動して表示するようにしている。
すなわち移動方向が前進の場合、その速度に応じてマーカーは次第に手前に移動する如く表示し、あたかもマーカーが表示された路上を自ら前進している如き感覚を得ることができる。
【００１６】
なおマーカーはルート４の道路を横断する鎖線で表示したが、一定距離毎にポールを立設するようにしてもよいし、あるいは路肩の縁石を一定距離毎に色を変えて表示するようにしてもよいし、路面の模様や色を変化させるようにしてもよい。
さらにメモリに都市、町、村、郊外、田園等の沿線風景等を格納しておいて、これらの風景を適宜に読み出してルート４の両側に表示するようにしてもよいし、各種のキャラクタ、動物、花等をルート４の両側の空間部分にランダムに表示するようにして同乗者の意識を引きつけるようにしてもよい。
【００１７】
そして、モニター１の上部には、たとえば速度、ハンドル２の舵角、高度等の情報を数字、バーグラフ等の適宜な表示手段で表示するようにしてもよい。
このようにすれば搭乗者の意識を一層引きつけることができ酔い止めに顕著な効果を得ることができる。
【００１８】
なおジャイロ３によって高度の情報も得られるならば、ルート４を高度情報に対応して先端部分を上方へ、あるいは下方へ湾曲して表示するようにしてもよい。
このようにすれば、飛行機を利用する搭乗者に対しても酔い止め防止の効果を奏することができさらに利便性を増すことができる。
【００１９】
しかしてモニター１、ハンドル２、ジャイロ３を電池等の電源とともに一体のケースに収納することによって持ち運びが容易であらゆる交通機関に持ち込んで使用でき実用的で汎用性に優れる。
【図面の簡単な説明】
【００２０】
【図１】本発明の構成を示すブロック図である。（実施例１）
【符号の説明】
【００２１】
１  モニター
２  ハンドル
３  ジャイロ
４  ルート
【図１】
2006130944.tif 000003